(57)【要約】      （修正有）【課題】ホワイトボード上の画像を読み取り、画像が消去されたホワイトボード上に再度消去することが可能なインクにより画像を形成することで、ホワイトボードの利用価値を高めることを可能にするホワイトボード画像形成装置を提供する。【解決手段】ホワイトボード２１上に消去することが可能なインクにより書き込んだ画像を読み取り画像データを生成する画像読取部１１と、画像データを蓄積する画像データ蓄積部１２と、画像データに基づいてホワイトボード２１に消去することが可能なインクにより画像を書き込むラインプリンタ１３とを有する。画像データ蓄積部１２に蓄積されている画像データを読み出し、読み出した画像データに基づいてラインプリンタ１３により画像が消去されたホワイトボード２１上に再度消去することが可能なインクにより画像を形成する。【選択図】図１
2018056921.tif 000002
【特許請求の範囲】
【請求項１】
ホワイトボード上に消去することが可能なインクにより書き込んだ画像を読み取り画像データを生成する画像読取部と、
前記画像データを蓄積する画像データ蓄積部と、
前記画像データに基づいて前記ホワイトボードに消去することが可能なインクにより画像を書き込むラインプリンタと、を有し、
前記画像データ蓄積部に蓄積されている画像データを読み出し、読み出した画像データに基づいて前記ラインプリンタにより画像が消去された前記ホワイトボード上に再度前記消去することが可能なインクにより画像を形成することを特徴とするホワイトボード画像形成装置。
【請求項２】
前記ラインプリンタまたは前記ホワイトボードの少なくとも一方を移動し、
前記ラインプリンタにより前記ホワイトボード上に画像を形成することを特徴とする請求項１に記載のホワイトボード画像形成装置。
【請求項３】
前記ラインプリンタは、前記ホワイトボードに着脱可能であることを特徴とする請求項１または請求項２に記載のホワイトボード画像形成装置。
【請求項４】
前記ラインプリンタは、前記ホワイトボード上に形成された画像を乾燥する乾燥手段を備えることを特徴とする請求項１乃至請求項３のいずれか１項に記載のホワイトボード画像形成装置。
【発明の詳細な説明】
【技術分野】
【０００１】
この発明は、ホワイトボード上の画像を読み取り、画像が消去されたホワイトボード上に再度画像を形成するホワイトボード画像形成装置に関する。
【背景技術】
【０００２】
従来、ホワイトボードは、画像の書込・消去が自由であり、大きな画面を有することから、複数の人の間で意見、意思等の交換をするのに便利な情報伝達手段として使用されている。また、ホワイトボードに書き込まれた画像を紙に記録して、打ち合わせや会議における討議の内容、結論等を保存する記録手段を備えたホワイトボード装置が普及している（特許文献１）
【先行技術文献】
【特許文献】
【０００３】
【特許文献１】特開２００３−３２４０８号公報
【発明の概要】
【発明が解決しようとする課題】
【０００４】
このように、ホワイトボードに書き込まれた画像を紙に記録し、またメモリに記録することが行われているが、ホワイトボードに書き込まれた内容を後日も継続使用する場合、再度ホワイトボード上に消去することが可能なインクにより再現する手段がないために消去できない。消去できないと、他の人が使用する範囲が限られてくるし、消去しないで残すこと自体が機密保持上での問題となる。
【０００５】
また、再度ホワイトボード上に消去することが可能なインクにより再現する手段がないために、例えば日本の会議室で行った会議の続きを米国で実施したい場合、移動してからホワイトボード上に会議の内容を書き直しすることは面倒である。また、例えば、今ある図面やスケッチを元にして、会議で手を加えたい場合、再度ホワイトボード用のペンで模写しなければならないなどの問題がある。
【０００６】
この発明は、このような従来の問題点を解消するためになされたもので、ホワイトボード上の画像を読み取り、画像が消去されたホワイトボード上に再度消去することが可能なインクにより画像を形成することで、ホワイトボードの利用価値を高めることが可能なホワイトボード画像形成装置を提供することを目的とする。
【課題を解決するための手段】
【０００７】
前記課題を解決し、かつ目的を達成するために、この発明は、以下のように構成した。
【０００８】
請求項１に記載の発明は、
ホワイトボード上に消去することが可能なインクにより書き込んだ画像を読み取り画像データを生成する画像読取部と、
前記画像データを蓄積する画像データ蓄積部と、
前記画像データに基づいて前記ホワイトボードに消去することが可能なインクにより画像を書き込むラインプリンタと、を有し、
前記画像データ蓄積部に蓄積されている画像データを読み出し、読み出した画像データに基づいて前記ラインプリンタにより画像が消去された前記ホワイトボード上に再度前記消去することが可能なインクにより画像を形成することを特徴とするホワイトボード画像形成装置である。
【０００９】
請求項２に記載の発明は、
前記ラインプリンタまたは前記ホワイトボードの少なくとも一方を移動し、
前記ラインプリンタにより前記ホワイトボード上に画像を形成することを特徴とする請求項１に記載のホワイトボード画像形成装置である。
【００１０】
請求項３に記載の発明は、
前記ラインプリンタは、前記ホワイトボードに着脱可能であることを特徴とする請求項１または請求項２に記載のホワイトボード画像形成装置である。
【００１１】
請求項４に記載の発明は、
前記ラインプリンタは、前記ホワイトボード上に形成された画像を乾燥する乾燥手段を備えることを特徴とする請求項１乃至請求項３のいずれか１項に記載のホワイトボード画像形成装置である。
【発明の効果】
【００１２】
前記構成により、この発明は、以下のような効果を有する。
【００１３】
請求項１乃至請求項４に記載の発明では、画像データ蓄積部に蓄積されている画像データを読み出し、読み出した画像データに基づいてラインプリンタにより画像が消去されたホワイトボード上に再度消去することが可能なインクにより画像を形成することで、ホワイトボードに書き込まれた内容を後日も継続使用することができ、ホワイトボードの利用価値を高めることが可能である。
【図面の簡単な説明】
【００１４】
【図１】ホワイトボード画像形成装置の概略構成図である。
【図２】ホワイトボードの移動型に設置する場合を示す図である。
【図３】ホワイトボードの固定型に設置する場合を示す図である。
【図４】ラインプリンタを説明する図である。
【図５】乾燥手段を備えるラインプリンタを示す図である。
【図６】乾燥手段の構成を示す図である。
【発明を実施するための形態】
【００１５】
以下、この発明のホワイトボード画像形成装置の実施の形態について説明する。この発明の実施の形態は、発明の最も好ましい形態を示すものであり、この発明はこれに限定されない。
【００１６】
（ホワイトボード画像形成装置の構成）
この実施の形態のホワイトボード画像形成装置を、図１に基づいて説明する。図１はホワイトボード画像形成装置の概略構成図である。
【００１７】
この実施の形態のホワイトボード画像形成装置１０は、画像読取部１１、画像データ蓄積部１２、ラインプリンタ１３、パーソナルコンピュータからなる外部機器１４を有する。画像読取部１１及びラインプリンタ１３は、ホワイトボード装置２０に着脱可能である。
【００１８】
ホワイトボード装置２０は、ホワイトボード２１、制御部２２、印刷部２３及び操作部２４を有する。
【００１９】
ホワイトボード２１は、消去することが可能な水性インクを用いて、フェルトペン等の筆記具により書き込み、書き込んだ画像を消去することが可能である。ホワイトボード２１上に形成された画像の消去は、フェルトパッド等の消去具を用いて手で行うことも可能であるが、クリーニング部（図示せず）を設け、このクリーニング部により消去するのが望ましい。
【００２０】
ホワイトボード２１への書込モードとして、従来のホワイトボードのように、筆記具を用いて文字、模様、画等を書き込み、書き込んだ画像を消去すると言う使い方と、ラインプリンタ１３により画像データに従って、文字、模様、画等を書き込むモードがある。両モードを組み合わせて用いることにより、例えば、ラインプリンタ１３を用いて、表の枠や文書の定形部を書き込み、手で表の内容であるデータや定形部以外の個別内容を補充することにより纏まった情報を作成することができる。
【００２１】
更に、会議を中断する場合に、中断時の中間的な記録を盤面読取部１１により読み取って、画像データを画像データ蓄積部１２に保存し、ホワイトボード２１の記録を消去する。会議の再開時に保存した画像データに基づいて、中間的な記録をホワイトボード１上にラインプリンタ１３により消去することが可能なインクにより記録して再現し、引き続き討議に用いたり、追加して会議の記録を完成すると言う使い方も可能である。
【００２２】
また、ホワイトボード２１に書き込まれた内容を後日も継続使用する場合、再度ホワイトボード２１上に消去することが可能なインクにより再現することで、例えば、今ある図面やスケッチを元にして、会議で手を加えたい場合、再度ホワイトボード用のペンで模写する必要がなく、ホワイトボード２１の使用する範囲が広がり、かつ消去することで機密保持にもなる。
【００２３】
盤面読取部１１は、センサアレイを備え、ホワイトボード２１を走査して、２値画像データを生成する。ラインプリンタ１３は、ホワイトボード２１に画像を書き込む手段であり、例えば、水性インクを用いインクジェット方式により消去可能な画像をホワイトボード２１上に書き込む。
【００２４】
盤面読取部１１及びラインプリンタ１３は、いずれも移動してホワイトボード２１を走査する型のもの又は固定型である。盤面読取部１１及びラインプリンタ１３が移動型の場合は、ホワイトボード２１が固定であり、これらが固定型の場合は、ホワイトボード２１が移動する。
【００２５】
制御部２２は、画像の読取、書込、印刷等の制御及び画像データの処理、蓄積、伝送等を行い、印刷部２３は、ホワイトボード２１上に画像を記録紙に印刷し、感熱方式やインクジェット方式により記録紙に画像を形成する。操作部２４は、画像の読取、書込、印刷、画像データの蓄積等のための操作を行う。
【００２６】
（ラインプリンタの設置）
ラインプリンタの設置を、図２及び図３に基づいて説明する。図２はホワイトボードの移動型に設置する場合を示す図、図３はホワイトボードの固定型に設置する場合を示す図であり、ラインプリンタ１３は、ホワイトボード２１に着脱可能である。
【００２７】
図２のホワイトボードの移動型に設置する場合、設置前は、本体に、ホワイトボード２１が移動可能に設けられ、また巻き取りボタンのオペパネAが設けられている（図２（a））。ドットの模様付きテープ３０をホワイトボード２１の上部に貼り付ける（図２（ｂ））。ホワイトボード２１の上部にレール３１を取り付ける（図２（ｃ））。ラインプリンタ１３をホワイトボード２１の上方から取り付け、ラインプリンタ１３は、車輪３２、車輪３３により固定され、ラインプリンタ１３のラインベッド１３aがホワイトボード２１の面に対向し、センサ１３ｂが模様付きテープ３０のドットに対向している（図２（ｄ））。
【００２８】
図２のホワイトボードの移動型を操作する場合、印刷データを取り込む。画像データ蓄積部１２に蓄積されている画像データを読み出して取り込むが、印刷データは、Wifi、USB、Bluetooth(登録商標）、有線LANなどから取り込むこともできる（図２（e））。ラインプリンタ１３のオペパネBのスタートボタンを押すと印刷の待機状態になる（図２（ｆ））。もともと本体に取り付けられていたオペパネAの巻き取りボタンを押すと、ホワイトボード２１のフィルムの巻き取りが始まる。ラインプリンタ１３のセンサ１３bが模様付きテープ３０のドットを読み取って印刷を行う（図２（ｇ））。
【００２９】
図３のホワイトボードの固定型に設置する場合、設置前は、本体に、ホワイトボード２１が固定して設けられている（図３（a））。ドットの模様付きテープ３０をホワイトボード２１の上部に貼り付け（図３（ｂ））、ホワイトボード２１の上部にレール３１を取り付ける（図３（ｃ））。ラインプリンタ１３をホワイトボード２１の上方から取り付けけ、ラインプリンタ１３は、車輪３２、車輪３３によりレール３１とホワイトボード２１に沿って移動する（図３（ｄ））。
【００３０】
図３のホワイトボードの固定型を操作する場合、印刷データを取り込む（図３（e））。ラインプリンタ１３のオペパネBのスタートボタンを押すと（図３（ｆ））、ラインプリンタ１３のセンサ１３bが移動しながら模様付きテープ３０のドットを読み取って印刷を行う（図３（ｇ））。
【００３１】
（ラインプリンタの構成）
この実施の形態のラインプリンタを、図４に基づいて説明する。ラインプリンタ１３は、Y,M,C,BKのインクを備え、ホワイトボード２１が移動して印刷を行う方式、またはラインプリンタ１３が移動して印刷を行う方式を用いる(図４（a）)。Y,M,C,BKのインクは、ホワイトボード２１上に書き込んで消去することが可能なインクを用いる。
【００３２】
このラインプリンタ１３は、インクジェットプリンタを用いており(図４（ｂ）)、インクジェットプリンタの方式としては、公知のコンティニュアス型インクジェット装置、ピェゾ方式オンディマンド型インクジェット装置、サーマル方式オンディマンド型インクジェット装置がある。
【００３３】
（乾燥手段を備えるラインプリンタの構成）
乾燥手段を備えるラインプリンタを、図５及び図６に基づいて説明する。この実施の形態のラインプリンタ１３は、ホワイトボード２１上に形成された画像を乾燥する乾燥手段４０を備え、図５（a）はホワイトボード２１の移動型にラインプリンタ１３を設置する場合であり、図５（ｂ）はホワイトボード２１の固定型にラインプリンタ設置する場合である。
【００３４】
図６（a）に示す乾燥手段４０は、送風手段４１を有し、空気を噴射する噴射部４１ａからホワイトボード２１のインクに風を吹き付けて乾燥させる。記録面積が大きい場合や、記録速度が速い場合などでもインクの乾燥を行うことで、文字や絵の画像かすれが生じる虞がなく、高品質の画像を提供できる。
【００３５】
図６（ｂ）に示す乾燥手段４０は、空気を加熱する加熱部４１ｂと加熱した空気を噴射する噴射部４１ａから構成され、ホワイトボード２１のインクに熱風を吹き付けて乾燥させる。
【産業上の利用可能性】
【００３６】
この発明は、ホワイトボード上の画像を読み取り、画像が消去されたホワイトボード上に再度画像を形成するホワイトボード画像形成装置に適用可能であり、ホワイトボード上の画像を読み取り、画像が消去されたホワイトボード上に再度消去することが可能なインクにより画像を形成することで、ホワイトボードの利用価値を高めることが可能である。
【符号の説明】
【００３７】
１０  ホワイトボード画像形成装置
１１  画像読取部
１２  画像データ蓄積部
１３  ラインプリンタ
１４  パーソナルコンピュータからなる外部機器
２０  ホワイトボード装置
２１  ホワイトボード
２２  制御部
２３  印刷部
２４  操作部
３０  ドットの模様付きテープ
３１  レール
３２,３３  車輪
４０  乾燥手段
【図１】
2018056921.tif 000003
【図２】
2018056921.tif 000004
【図３】
2018056921.tif 000005
【図４】
2018056921.tif 000006
【図５】
2018056921.tif 000007
【図６】
2018056921.tif 000008